(57)【要約】【課題】高齢者向け施設の利用者の健康維持及び健康促進を効果的に実現することができる健康管理システム、及びプログラムを提供することを目的としている。【解決手段】健康管理システム１０では、運動及び休息のいずれか一方が行われるエリアを有する高齢者向け施設の利用者ごとに、当該利用者が行う運動及び休息が時系列で定められた行動スケジュール情報を予め記憶しておき、行動スケジュール情報を読み出して当該利用者に通知し、運動刺激付与装置３０１により、運動エリアで運動する利用者に、当該運動の遂行に対する当該利用者の意欲を向上させる感覚刺激である運動刺激を付与し、休息刺激付与装置３０２により、休息エリアで休息する利用者に、当該休息による当該利用者の休息状態を向上させる感覚刺激である休息刺激を付与する。【選択図】図３
2014018570.tif 000002
【特許請求の範囲】
【請求項１】
運動及び休息のいずれか一方が行われるエリアを有する高齢者向け施設の利用者ごとに、当該利用者が行う運動及び休息が時系列で定められた行動スケジュール情報が予め記憶された記憶手段と、
前記記憶手段に記憶された行動スケジュール情報を読み出して当該利用者に通知する通知手段と、
前記利用者が運動するエリアに備えられ、当該エリアで運動する利用者に、当該運動の遂行に対する当該利用者の意欲を向上させる感覚刺激である運動刺激を付与する運動刺激付与手段と、
前記利用者が休息するエリアに備えられ、当該エリアで休息する利用者に、当該休息による当該利用者の休息状態を向上させる感覚刺激である休息刺激を付与する休息刺激付与手段と、
を備えた健康管理システム。
【請求項２】
運動している前記利用者の疲労度を測定する測定手段と、
前記測定手段で測定される疲労度が、当該利用者に対して予め定められた第１の閾値に達した場合、当該利用者が行っている運動を停止させ、休息をとるよう指示する情報を通知する運動停止指示手段と、
前記運動停止指示手段によって通知された情報に従って休息している前記利用者の前記測定手段で測定される疲労度が、当該利用者に対して予め定められた前記第１の閾値より低い第２の閾値に達した場合、当該利用者に運動を行うよう指示する情報を通知する運動実施指示手段と、
を備えた請求項１記載の健康管理システム。
【請求項３】
前記運動停止指示手段及び前記運動実施指示手段による前記利用者の運動及び休息の変更に基づいて、前記行動スケジュール情報を変更する行動スケジュール情報変更手段
を備えた請求項２記載の健康管理システム。
【請求項４】
前記感覚刺激は、前記利用者の行為に反応して当該利用者に与えられる刺激であるレスポンス刺激を含む
請求項１から請求項３のいずれか１項に記載の健康管理システム。
【請求項５】
コンピュータに、
運動及び休息のいずれか一方が行われるエリアを有する高齢者向け施設の利用者ごとに、当該利用者が行う運動及び休息が時系列で定められた行動スケジュール情報を記憶装置に記憶させる手順と、
前記記憶装置に記憶された行動スケジュール情報を読み出して当該利用者に通知する手順と、
前記エリアで運動する利用者に当該運動の遂行に対する当該利用者の意欲を向上させる感覚刺激である運動刺激を付与する運動刺激付与装置を制御して前記利用者に前記運動刺激を付与させる手順と、
前記エリアで休息する利用者に当該休息による当該利用者の休息状態を向上させる感覚刺激である休息刺激を付与する休息刺激付与装置を制御して前記利用者に前記休息刺激を付与させる手順と、
を実行させるためのプログラム。
【発明の詳細な説明】
【技術分野】
【０００１】
本発明は、健康管理システム、及びプログラムに係り、特に、高齢者向け施設を利用する利用者の健康増進及び健康維持を図るのに好適な高齢者向け施設の健康管理システム、及びプログラムに関するものである。
【背景技術】
【０００２】
健康促進のための運動計画を生成して提案する技術が、例えば特許文献１において運動計画提案装置として開示されている。この技術では、運動強度と運動時間を用いて運動計画を提案すること、及び、その際の運動強度を測定する運動強度計について開示されている。
【０００３】
また、特許文献２においては、日常生活において運動を習慣化でき、運動量を無理なく増やすことを目的に、ユーザの行動規則を複数生成して、各個人の運動習慣、特性、嗜好、癖に基づいて、運動を促すためのアドバイスを明示的な理由を示したかたちでユーザに提供する技術が開示されている。
【０００４】
また、特許文献３においては、コンピュータシステムを用いて、マンションのような集合住宅の居住者に対して、末永く自立した生活をおくることができるように、医師、管理栄養士、運動指導専門家などの専門家の力を総合的に活用し、集合住宅における各居住者の健康状態、身体の状態の正確な把握に基づき、居住者ごとの健康の維持・増進にとって好ましい、良好で適切な影響状態を保証する食生活の提供、及び、より適切な負荷を与え得る運動メニューの提案などを行えるシステムが開示されている。
【先行技術文献】
【特許文献】
【０００５】
【特許文献１】特開２００７−３２３２４６号公報
【特許文献２】特開２００４−３１８５０３号公報
【特許文献３】特開２００３−２４８７２６号公報
【発明の概要】
【発明が解決しようとする課題】
【０００６】
しかしながら、従来の技術では、高齢者に特化した健康の促進と維持に関しては十分な考慮がなされていない。すなわち、高齢者の健康を促進または維持させるためには、運動のみを管理するのではなく、運動と休息とのバランスが重要となるが、従来の技術では、このような運動と休息とのバランスを十分に考慮した行動スケジュールを作成することはできない。
【０００７】
高齢者は高齢者向け施設において生活する場合が多い。現在の高齢者向け施設においては、高齢者の健康維持及び健康促進のための運動遂行を支援するために、作業療法士が、対象高齢者の希望や運動限界等を評価した上で、当該対象高齢者に対するリハビリテーション等を含む１日単位または１週間単位等での行動スケジュールを作成し、作成した行動スケジュールに基づいて当該対象高齢者に対する運動遂行支援を行なっている。また、その遂行状況に応じて行動スケジュールを修正する等を行っている。
【０００８】
この場合、作業療法士は、対象となる高齢者ごとにきめ細かで的確な行動スケジュールを作成する必要があり、高度な知識と経験が要求される。しかしながら、このような高度な知識と経験を有する作業療法士を育成するためには、施設側に大きな負担となる。
【０００９】
また、高齢者の健康を促進及び維持するためには、高齢者自身が意欲をもって、与えられた行動スケジュールにそって運動遂行するように誘導することが重要である。しかしながら、高齢者自身がどのような運動内容に意欲をもっているかは、高齢者ごとに異なると共に、同じ高齢者であっても、時間の経過、体調等に伴い、意欲をもつ運動内容は変化する。
【００１０】
そのため、各高齢者別に、当該高齢者の随時に変化する意欲を引き出す事案を適宜に分析して、高齢者の意欲を継続させることができる行動スケジュールを適切に作成することは容易ではない。
【００１１】
従来の技術では、行動スケジュールにおいて高齢者に適切な休息をとらせること、及び、高齢者が意欲を持って行動スケジュールを遂行するように誘導することができない。
【００１２】
本発明は、上記問題点を解決するためになされたものであり、高齢者向け施設の利用者の健康維持及び健康促進を効果的に実現することができる健康管理システム、及びプログラムを提供することを目的としている。
【課題を解決するための手段】
【００１３】
上記目的を達成するために、本発明の健康管理システムは、運動及び休息のいずれか一方が行われるエリアを有する高齢者向け施設の利用者ごとに、当該利用者が行う運動及び休息が時系列で定められた行動スケジュール情報が予め記憶された記憶手段と、前記記憶手段に記憶された行動スケジュール情報を読み出して当該利用者に通知する通知手段と、前記利用者が運動するエリアに備えられ、当該エリアで運動する利用者に、当該運動の遂行に対する当該利用者の意欲を向上させる感覚刺激である運動刺激を付与する運動刺激付与手段と、前記利用者が休息するエリアに備えられ、当該エリアで休息する利用者に、当該休息による当該利用者の休息状態を向上させる感覚刺激である休息刺激を付与する休息刺激付与手段と、を備えている。
【００１４】
本発明の健康管理システムでは、記憶手段により、運動及び休息のいずれか一方が行われるエリアを有する高齢者向け施設の利用者ごとに、当該利用者が行う運動及び休息が時系列で定められた行動スケジュール情報が予め記憶され、通知手段により、前記記憶手段に記憶された行動スケジュール情報が読み出されて当該利用者に通知される。
【００１５】
ここで、本発明では、運動刺激付与手段により、前記利用者が運動するエリアで運動する利用者に、当該運動の遂行に対する当該利用者の意欲を向上させる感覚刺激である運動刺激が付与され、休息刺激付与手段により、前記利用者が休息するエリアで休息する利用者に、当該休息による当該利用者の休息状態を向上させる感覚刺激である休息刺激を付与される。
【００１６】
これにより、運動及び休息に際して、感覚器を介して脳にポシティブな刺激を与える感覚刺激を有効利用することができ、高齢者向け施設の利用者ごとに、運動及び休息の順序が適切に設定された行動スケジュールに従って、当該利用者が運動及び休息を意欲的に行うことができるように誘導することが可能となり、高齢者向け施設の利用者の健康維持及び健康促進を効果的に実現することができる。
【００１７】
なお、本発明の健康管理システムは、運動している前記利用者の疲労度を測定する測定手段と、前記測定手段で測定される疲労度が、当該利用者に対して予め定められた第１の閾値に達した場合、当該利用者が行っている運動を停止させ、休息をとるよう指示する情報を通知する運動停止指示手段と、前記運動停止指示手段のよって通知された情報に従って休息している前記利用者の前記測定手段で測定される疲労度が、当該利用者に対して予め定められた前記第１の閾値より低い第２の閾値に達した場合、当該利用者に運動を行うよう指示する情報を通知する運動実施指示手段と、をさらに備えても良い。
【００１８】
これにより、測定された利用者の疲労度に応じて運動と休息を促すことができ、当該利用者が運動及び休息を意欲的に行うことができるように効果的に誘導することが可能となり、高齢者向け施設の利用者の健康維持及び健康促進を、より効果的に実現することができる。
【００１９】
また、本発明の健康管理システムは、前記運動停止指示手段及び前記運動実施指示手段による前記利用者の運動及び休息の変更に基づいて、前記行動スケジュール情報を変更する行動スケジュール情報変更手段をさらに備えても良い。
【００２０】
これにより、前記行動スケジュール情報を、実際の利用者の運動及び休息に適したものとすることができ、当該行動スケジュールに従って、当該利用者が運動及び休息を、より意欲的に行うことができるように誘導することが可能となり、高齢者向け施設の利用者の健康維持及び健康促進を、より効果的に実現することができる。
【００２１】
また、本発明の健康管理システムは、前記感覚刺激が、前記利用者の行為に反応して当該利用者に与えられる刺激であるレスポンス刺激を含むものである。
【００２２】
これにより、行動スケジュールに従って、当該利用者が運動及び休息を、より意欲的に行うことができるように誘導することが可能となり、高齢者向け施設の利用者の健康維持及び健康促進を、より効果的に実現することができる。
【００２３】
一方、上記目的を達成するために、本発明のプログラムは、コンピュータに、運動及び休息のいずれか一方が行われるエリアを有する高齢者向け施設の利用者ごとに、当該利用者が行う運動及び休息が時系列で定められた行動スケジュール情報を記憶装置に記憶させる手順と、前記記憶装置に記憶された行動スケジュール情報を読み出して当該利用者に通知する手順と、前記エリアで運動する利用者に当該運動の遂行に対する当該利用者の意欲を向上させる感覚刺激である運動刺激を付与する運動刺激付与装置を制御して前記利用者に前記運動刺激を付与させる手順と、前記エリアで休息する利用者に当該休息による当該利用者の休息状態を向上させる感覚刺激である休息刺激を付与する休息刺激付与装置を制御して前記利用者に前記休息刺激を付与させる手順と、を実行させるためのプログラムである。
【００２４】
従って、本発明は、コンピュータを本発明の健康管理システムと同様に作用させることができるので、当該健康管理システムと同様に、高齢者向け施設の利用者の健康維持及び健康促進を効果的に実現することができる。
【発明の効果】
【００２５】
本発明によれば、運動及び休息に際して、感覚器を介して脳にポシティブな刺激を与える感覚刺激を有効利用することで、高齢者向け施設の利用者ごとに、運動及び休息の順序が適切に設定された行動スケジュールに従って、当該利用者が運動及び休息を意欲的に行うことができるように誘導することが可能となり、高齢者向け施設の利用者の健康維持及び健康促進を、効果的に実現することができる。
【図面の簡単な説明】
【００２６】
【図１】実施の形態に係る健康管理システムを備えた高齢者向け施設のレイアウトを示す説明図である。
【図２】実施の形態に係る高齢者向け施設の健康管理システムのコンピュータ構成例を示すブロック図である。
【図３】実施の形態に係る高齢者向け施設の健康管理システムの構成を示すブロック図である。
【図４】実施の形態に係る行動データベースの構成を示す模式図である。
【図５】実施の形態に係る五感刺激データベースの構成を示す模式図である。
【図６】実施の形態に係る心理・生理データベースの構成を示す模式図である。
【図７】実施の形態に係る行動履歴データベースの構成を示す模式図である。
【図８】実施の形態に係る施設スケジュールデータベースの構成を示す模式図である。
【図９】実施の形態に係る行動テーブルデータベースの構成を示す模式図である。
【図１０】実施の形態に係る活動メニュー情報の一例を示す模式図である。
【図１１】実施の形態に係る健康管理システムの健康管理プログラムの第１の処理の流れを示すフローチャートである。
【図１２】実施の形態に係る健康管理システムの健康管理プログラムの第２の処理の流れを示すフローチャートである。
【発明を実施するための形態】
【００２７】
以下、図面を参照して、本発明の実施の形態を詳細に説明する。まず図１を用いて、本実施の形態に係る健康管理システムを備えた高齢者向け施設について説明する。
【００２８】
本高齢者向け施設では、１階に、多目的ホール（リハビリルーム）、ロビー、健康管理室、及び屋外ガーデン・菜園などが設けられ、基準階に、居間・食堂、キッチン・スタッフルーム、個別浴室、機械浴室、デイルーム、及びユーティリティ（理美容室、デンタルルーム）などが設けられている。
【００２９】
例えば、１階の多目的ホールは、リハビリテーション等を行う運動エリアとして用いられ、ロビー及び屋外ガーデン・菜園などは休息のための休息エリアとして用いられる。また、基準階における、居間・食堂、個別浴室、機械浴室、デイルーム、及びユーティリティなども、休息エリアとして用いられる。なお、１階の屋外ガーデン・菜園などは運動エリアとしても用いることができる。
【００３０】
１階の多目的ホールを含む運動エリアにおいては、床振動、映像反応、及び身体ゲーム等、高齢者に五感刺激、及び、歩いたときの足音や手で触った物の触り心地といった、自分の行為に反応して自身に与えられる刺激であるレスポンス刺激を含む感覚刺激を与えるための種々の装置が配置され、これらの装置を用いた例えば健康管理室でのリハビリテーション等が行なわれる。
【００３１】
このように運動エリアにおいて感覚刺激を与えるための装置として、後述の図２，３で示す運動刺激付与装置３０１が備えられている。
【００３２】
また、１階の屋外ガーデン・菜園を含む休息エリアにおいても、レスポンシブルガーデン、香り植栽、砂利道、水琴窟、及び獅子脅し等、高齢者に五感刺激やレスポンス刺激を与えるために種々の装置が設けられ、これらの装置により、高齢者を休息させるリラクジェーションが行なわれる。すなわち、交感 神経の興奮を抑えて、副交感神経の働きが優位になっている状態とし、緊張が解かれている状態で、高齢者を、くつろいだ状態にする。
【００３３】
このような休息エリアにおいて感覚刺激を与えるための装置として、後述の図２，３で示す休息刺激付与装置３０２が備えられている。
【００３４】
また、基準階の居間・食堂も運動エリア及び休息エリアとして利用され、居間・食堂においても、匂いを醸し出したり、音楽や水のせせらぎ音を流す等、高齢者に五感刺激やレスポンス刺激を与えるために上述の運動刺激付与装置３０１、及び休息刺激付与装置３０２を含む装置が配置され、食事中における高齢者の脳を活性化させたり、休息中における高齢者の脳を活性化、またはリラックスさせる。
【００３５】
さらに、基準階の個別浴室においても、音楽や音声における音響音を流す等、高齢者に五感刺激やレスポンス刺激を与えるために上述の運動刺激付与装置３０１、及び休息刺激付与装置３０２を含む装置が配置され、入浴中における高齢者の脳を活性化、またはリラックスさせる。
【００３６】
また、基準階の廊下においても、映像で、壁に窓と窓の外の風景を映す、床に砂利道を映す、及び、スピーカから砂利道を歩くときの音を出す等、高齢者に五感刺激やレスポンス刺激を与えるために、上述の運動刺激付与装置３０１、及び休息刺激付与装置３０２を含む装置が配置され、廊下を通る際に高齢者の脳を活性化、またはリラックスさせる。
【００３７】
また、基準階の居室においては、照明のタイムリーなオンオフ制御、明るさの調整等により、高齢者に五感刺激やレスポンス刺激を与えるために、上述の運動刺激付与装置３０１、及び休息刺激付与装置３０２を含む装置が配置され、高齢者の体内時計のリズム（サーカディアンリズム）を整えさせる。
【００３８】
本実施の形態の健康管理システムは、このような高齢者向け施設に備えられ、高齢者向け施設の多目的ホールや屋外ガーデン・菜園等の運動エリアに備えられた上述の運動刺激付与装置３０１により、当該運動エリアで高齢者が実行する運動動作に予め対応付けられた五感刺激とレスポンス刺激の双方またはいずれか一方を、当該運動動作を実行中の高齢者に与える。
【００３９】
また、居間や食堂等の休息エリアに備えられた上述の休息刺激付与装置３０２により、当該休息エリアで高齢者が実行する休息動作に予め対応付けられた五感刺激とレスポンス刺激の双方またはいずれか一方を、当該休息動作を実行中の高齢者に与える。
【００４０】
以下、図２、及び図３を用いて、このような高齢者向け施設に備えられる本実施の形態の健康管理システムについて説明する。
【００４１】
図２においては、本実施の形態に係る健康管理システム１０のハードウェア構成を示し、図３においては、図２に示されるハードウェア構成により実現される健康管理システム１０の機能ブロックを示している。
【００４２】
まず、図２を参照して、健康管理システム１０のハードウェア構成を説明する。
【００４３】
本実施の形態に係る健康管理システム１０は、プログラムの実行により健康管理システム１０の各種処理を行うコンピュータとしての情報処理装置２０と、五感刺激やレスポンス刺激を与えるための運動刺激付与装置３０１、休息刺激付与装置３０２、及び外部装置３０ｎを備えている。
【００４４】
情報処理装置２０は、プログラムの実行により健康管理システム１０の各種処理を行うＣＰＵ（Central Processing Unit；中央処理装置）２１と、ＣＰＵ２１による各種プログラムの実行時のワークエリア等として用いられるＲＡＭ（Random Access Memory）２２と、各種制御プログラムや各種パラメータ等が予め記憶された記録媒体であるＲＯＭ（Read Only Memory）２３と、を備えている。
【００４５】
また、情報処理装置２０は、各種情報を記憶するために用いられるハードディスク２４（以下、「ＨＤＤ」ともいう）と、キーボードやマウス等からなる入力装置２５と、ディスプレイ等からなる表示装置２６と、ＬＡＮ（Local Area Network）等を用いて通信を行う通信装置２７と、を備えている。
【００４６】
また、情報処理装置２０は、運動刺激付与装置３０１、休息刺激付与装置３０２、及び外部装置３０ｎの動作を制御するための各種の情報の授受を司る入出力インタフェース部（以下、「外部ＩＦ」ともいう）２８と、各々を相互に接続して信号の授受を行なうシステムバスＢＵＳ（以下、「ＢＵＳ」ともいう）２９と、を備えている。
【００４７】
ＣＰＵ２１は、ＲＡＭ２２、ＲＯＭ２３、及びハードディスク２４に対するアクセス、入力装置２５を介した各種情報の取得、表示装置２６に対する各種情報の表示、通信装置２７を用いた各種情報の通信処理、及び入出力インタフェース部２８に接続された運動刺激付与装置３０１、休息刺激付与装置３０２、及び外部装置３０ｎとの情報の入出力等を、各々行うことができる。
【００４８】
ＣＰＵ２１が、ハードディスク２４に記憶された後述する健康管理プログラムをＲＡＭ２２に展開して実行することにより、情報処理装置２０における、図３に示す各処理部の機能が実行される。
【００４９】
このような情報処理装置２０、運動刺激付与装置３０１、休息刺激付与装置３０２、及び外部装置３０ｎにより、本実施の形態に係る健康管理システム１０が構成されている。
【００５０】
健康管理システム１０は、図１に示した高齢者向け施設の利用者の健康の維持及び促進を図るものであり、当該高齢者向け施設に設けた運動エリアに運動刺激付与装置３０１及び外部装置３０ｎが設置され、休息エリアに休息刺激付与装置３０２及び外部装置３０ｎが設置され、情報処理装置１０が、例えば１階の健康管理室等に設置される。
【００５１】
運動刺激付与装置３０１は、五感刺激とレスポンス刺激を含む感覚刺激を、運動促進刺激として、運動エリアにおいて運動中の高齢者向け施設の利用者である高齢者に与えて、当該高齢者に、当該運動動作の遂行に意欲を持たせる。
【００５２】
休息刺激付与装置３０２は、前述の感覚刺激を、休息促進刺激として、休息エリアにおいて休息中の高齢者に与えて、当該高齢者の休息状態を促進する。
【００５３】
なお、ここでの高齢者とは、高齢者向け施設の利用者であり、当該高齢者向け施設に設けられた運動エリアでの運動及び休息エリアでの休息をする者である。
【００５４】
このように、本実施の形態に係る健康管理システム１０では、感覚刺激とレスポンス刺激を積極的に活用して、高齢者向け施設の利用者である高齢者の運動意欲を促進させると共に、効率的な休息をとらせることにより、高齢者が、運動と休息のバランスがとれた行動スケジュールに従って意欲的に行動するように誘導する。これにより、高齢者の健康の維持・促進を図る。
【００５５】
例えば、高齢者が行動スケジュールの遂行に意欲を持つようにさせるためには、アミノ酸（セロトニンやアドレナリン）を高齢者の体に補充させることにより身体及び脳の活動を活発にさせることが有効である。また、ノルアドレナリン及びドーパミンなどの意欲や快感に関わるカテコールアミンと呼ばれる神経伝達物質糖の消費を抑えることで、意欲を持たせることができる。この神経伝達物質糖の消費を抑えるためには、適度な休息が必要である。
【００５６】
このように、高齢者が行動スケジュールの遂行に意欲を持つようにさせるためには、適切な休息をとらせることで、脳における神経伝達物質糖の消費を抑えることが重要である。
【００５７】
また、視覚、聴覚、嗅覚、味覚、及び触覚からなる五感を介して脳にポシティブな刺激（五感刺激）を与えることで、例えばコルチゾール（ストレスを受けると分泌されるモルモン）濃度を低下させて、意欲を促進させることができることや、上述のように、歩いたときの足音や手で触った物の触り心地といった自分の行為に反応して発生する刺激であるレスポンス刺激が心地よさや安心感などにつながることが経験的に知られている。
【００５８】
従って、運動と休息に五感刺激及びレスポンス刺激を積極的に活用し、高齢者の身体的、心理的・生理的な状態を、運動や休息に適した状態に誘導することにより、高齢者の健康促進・維持を継続させることができる。
【００５９】
また、本実施の形態に係る健康管理システム１０は、このような五感刺激やレスポンス刺激を有効に利用して、適切な休養及び休息をとるように設計された行動スケジュールの遂行に高齢者が意欲を持つようにしている。
【００６０】
次に、図３を用いて、健康管理システム１０の機能構成を説明する。
【００６１】
健康管理システム１０は、図２に示したハードウェア及び制御プログラムを含むソフトウェアを利用して構成される機能として、入力部１０ａ、出力部１０ｂ、処理部１０ｃ、及び記憶部１０ｄを備えている。
【００６２】
入力部１０ａは、本人認識情報入力部（図中、「本人認識」と記載）１０ａ１、活動量計情報入力部（図中、「活動量計」と記載）１０ａ２、空間入退センサ情報入力部（図中、「空間入退センサ」と記載）１０ａ３、カメラ（映像）情報入力部（図中、「カメラ（映像）」と記載）１０ａ４、マイク（音声）情報入力部（図中、「マイク（音声）」と記載）１０ａ５、キーボード等情報入力部（図中、「キーボード等」と記載）１０ａ６、及び刺激付与装置制御情報入力部１０ａ７を備えている。
【００６３】
本人認識情報入力部１０ａ１は、高齢者が所持するＩＣカード等から本人を確認するために用いられる情報を取得する。活動量計情報入力部１０ａ２は、高齢者の腕等に装着された携帯型近赤外線組織酸素モニタ装置などから出力される酸素濃度等、当該高齢者の疲労度等の活動状態を示す情報を取得する。
【００６４】
空間入退センサ情報入力部１０ａ３は、上記ＩＣカード等からの情報を運動エリアや休息エリア等の各エリア（空間）に設けられたセンサで検知した結果に基づき、当該ＩＣカードを所持した高齢者の各エリア（空間）への入退状況を示す情報を取得する。
【００６５】
カメラ（映像）情報入力部１０ａ４は、カメラで撮像された高齢者の表情等の映像情報を取得する。マイク（音声）情報入力部１０ａ５は、マイクで入力された高齢者の音声情報を取得する。キーボード等情報入力部１０ａ６は、キーボード等から入力される指示情報を取得する。
【００６６】
刺激付与装置制御情報入力部１０ａ７は、運動刺激付与装置３０１及び休息刺激付与装置３０２から出力される制御情報を取得する。
【００６７】
出力部１０ｂは、画面情報出力部（図中、「画面表示（Ｐｒ含む）」と記載）１０ｂ１、音声情報出力部（図中、「音声」と記載）１０ｂ２、携帯端末情報出力部（図中、「携帯端末」と記載）１０ｂ３、及び刺激付与装置制御情報出力部１０ｂ４を備えている。
【００６８】
画面情報出力部１０ｂ１は、ディスプレイを介して表示されるか、またはプリンタを介して印刷される、高齢者や、当該高齢者の介護等を行う介護者に対して、一日の行動スケジュールを含む各種の情報を、ディスプレイやプリンタに出力する。音声情報出力部１０ｂ２は、音声で出力される上述の高齢者や介護者等に対する各種の情報をスピーカ等に出力する。
【００６９】
携帯端末情報出力部１０ｂ３は、高齢者または介護者が保持する携帯端末装置により画像または音声で出力される上述の高齢者や介護者等に対する各種の情報を、当該携帯端末装置に対して出力する。
【００７０】
刺激付与装置制御情報出力部１０ｂ４は、運動刺激付与装置３０１及び休息刺激付与装置３０２の制御に用いる制御情報を、運動刺激付与装置３０１及び休息刺激付与装置３０２に対して出力する。
【００７１】
なお、上述したように、運動刺激付与装置３０１は、高齢者向け施設等の建物内の運動エリアに備えられ、当該運動エリアで高齢者が実行する運動動作に予め対応付けられた五感刺激とレスポンス刺激の双方またはいずれか一方を、当該運動動作を実行中の高齢者に与える。
【００７２】
また、上述したように、休息刺激付与装置３０２は、高齢者向け施設等の建物内の休息エリアに備えられ、当該休息エリアで高齢者が実行する休息動作に予め対応付けられた五感刺激とレスポンス刺激の双方またはいずれか一方を、当該休息動作を実行中の高齢者に与える。
【００７３】
一方、処理部１０ｃは、本人特定部１０ｃ１、スケジュール確認部１０ｃ２、移動場所確認部１０ｃ３、行動監視部１０ｃ４、評価判断部１０ｃ５、入力処理部１０ｃ６、及び出力処理部１０ｃ７を備えている。
【００７４】
本人特定部１０ｃ１は、本人認識情報入力部１０ａ１等から入力された情報に基づいて、健康管理の対象となる高齢者の氏名等の特定を行なう。スケジュール確認部１０ｃ２は、キーボード等情報入力部１０ａ６等から入力された、行動スケジュールの特定に用いられる番号に基づき、当該番号に対応する行動スケジュールを確認する。
【００７５】
移動場所確認部１０ｃ３は、空間入退センサ情報入力部１０ａ３等で取得された情報に基づいて、高齢者が現在いる場所及びこの場所に至るまでに移動した場所等を確認する。
【００７６】
行動監視部１０ｃ４は、本人特定部１０ｃ１等による特定結果、移動場所確認部１０ｃ３等による高齢者の居場所の確認結果、及び、カメラ（映像）情報入力部１０ａ４とマイク（音声）情報入力部１０ａ５等で取得された映像情報と音声情報とに基づいて、高齢者の行動を監視する。
【００７７】
評価判断部１０ｃ５は、活動量計情報入力部１０ａ２、カメラ（映像）情報入力部１０ａ４、及びマイク（音声）情報入力部１０ａ５等で取得された活動状態情報、映像情報、及び音声情報等を用いて、行動スケジュールに従って行動した高齢者の疲労度や精神状態等を判断するなどして、当該高齢者用に作成された行動スケジュールが適切であったか否かを判断して、その評価を行う。
【００７８】
入力処理部１０ｃ６は、入力部１０ａから入力された各種情報を処理部１０ｃで処理可能なデータに変換する等の処理を行なう。
【００７９】
出力処理部１０ｃ７は、処理部１０ｃで処理したデータを、出力部１０ｂで出力する各種情報に変換する等の処理を行なう。特に、出力処理部１０ｃ７は、運動刺激付与装置３０１及び休息刺激付与装置３０２において五感刺激とレスポンス刺激を発生させるための情報等を生成して出力する。
【００８０】
記憶部１０ｄは、行動データベース（以下、「行動ＤＢ」ともいう）１０ｄ１、五感刺激データベース（以下、「五感刺激ＤＢ」ともいう）１０ｄ２、心理・生理データベース（以下、「心理・生理ＤＢ」ともいう）１０ｄ３、行動履歴データベース（以下、「行動履歴ＤＢ」ともいう）１０ｄ４、施設利用スケジュールデータベース（以下、「施設スケジュールＤＢ」ともいう）１０ｄ５、及び行動テーブルデータベース（以下、「行動テーブルＤＢ」ともいう）１０ｄ６を備えている。
【００８１】
行動ＤＢ１０ｄ１は、図４に模式的に示すように、各行動Ｎｏ（１，２，３，…）に対応付けて、行動内容（ゲーム１，２、体操１，２、ダンス１〜３、休息１〜３，１１〜１３、散歩１〜４）、当該行動に対応して付与する刺激を特定するための識別情報（図中、「付与刺激（刺激ＤＢより）」と記載）（Ａ，Ｂ，…）、当該行動による運動量（時間当たり）を示す数値、及び当該行動による休息量（時間当たり）を示す数値等を予め記憶しておく。
【００８２】
例えば、図４に示すように、行動Ｎｏが「１」である行動として、行動内容が「ゲーム１」、付与刺激が「Ｅ」、運動量が「３．５」、休息量が「なし」との情報を記憶し、行動Ｎｏ「９」として、行動内容が「休息２」、付与刺激が「Ａ」、運動量「１」、及び休息量「１」との情報を記憶している。
【００８３】
一方、五感刺激ＤＢ１０ｄ２は、図５に示すように、図３に示した行動ＤＢ１０ｄ１における付与刺激の識別情報（Ａ，Ｂ，…）に対応付けて、刺激の対象となる感覚（聴覚、視覚、嗅覚、触覚）、付与する刺激の種類（音、光、映像、香り、風、振動）、当該刺激を生起させる装置（スピーカ、ライト、プロジェクタ、自然光、香り発生器、気流発生器、自然風、床振動）、レスポンス刺激の有無（有れば丸印）、当該刺激の説明情報としての備考（動きに連動、引き込み）等を予め記憶しておく。
【００８４】
例えば、図５に示すように、付与刺激が「Ａ」に対して、対象となる感覚が「聴覚」、付与刺激が「音」、付与装置が「スピーカ」、レスポンス刺激が「無」、備考が「無」との情報を記憶し、付与刺激「Ｘ」に対して、対象となる感覚が「聴覚、視覚、及び触覚」、付与刺激が「音、映像、及び振動」、付与装置が「スピーカ、プロジェクタ、及び床振動」、レスポンス刺激が「有」、備考が「引き込み」との情報を記憶している。なお、「引き込み」とは、対象となる高齢者の注意を当該刺激に積極的に向けさせることを意味する。
【００８５】
このように、五感刺激ＤＢ１０ｄ２では、付与刺激として、一方的な刺激と、本人の行動に伴って発生されるレスポンス刺激とに区別して取り扱う。処理部１０ｃは、五感刺激ＤＢ１０ｄ２に格納された情報に基づいて、刺激を付与するために用いる刺激運動刺激付与装置３０１及び休息刺激付与装置３０２を特定する。
【００８６】
また、心理・生理ＤＢ１０ｄ３は、図６に示すように、対象者がある行動をしたときに、心理・生理が活性化される状態量を、評価判断部１０ｃ５で換算するための情報を記憶しておく。
【００８７】
例えば、図６に示すように、各心理Ｎｏ（１，２，…）に対応付けて、行動状況、個人履歴（心理・生理）、個人条件、心理・生理係数との情報を記憶している。
【００８８】
行動状況として、図３に示された行動ＤＢ１０ｄ１にける行動内容（ゲーム１，２、体操１，２、ダンス１〜３、休息１〜３，１１〜１３、散歩１〜４）を特定する行動Ｎｏが記憶される。
【００８９】
個人履歴（心理・生理）には、行動内容に示される行動を行った高齢者を特定する情報が記憶され、個人条件として、当該高齢者の年齢、性別、経歴、及び嗜好等が記憶され、心理・生理係数としては、行動状況、個人履歴、個人条件における各記憶内容に応じて予め設定される値が記憶される。
【００９０】
なお、個人履歴及び心理・生理係数は、行動によって変化することもあるので、行動監視部１０ｃ４での映像や音声等の解析と評価判断部１０ｃ５での演算により生理・心理ＤＢ１０ｄ３の記憶内容が更新される。
【００９１】
また、行動履歴ＤＢ１０ｄ４は、図７に示すように、開始日時、終了日時、場所、行動、刺激、運動量、休息量、心理・生理活動量の各項目からなり、健康管理の対象となる高齢者本人のこれまでの行動を示す情報等が記憶される。
【００９２】
例えば、図７に示すように、開始日時「２０１１／１１／１４  ９：００」から終了日時「２０１１／１１／１４  １０：３０」までの１時間半の間、場所「プレイス１」で、運動量「３．５」の行動「ゲーム１」が、「映像」による刺激が付与された状態で行われたことが記憶される。
【００９３】
また、２行目において、開始日時「２０１１／１１／１４  １０：３０」から終了日時「２０１１／１１／１４  １１：３０」までの１時間の間、場所「プレイス２」で、運動量「１」で休息量「１」の行動「休息」が、特別な刺激が付与されることなく行われたことが記憶されている。
【００９４】
さらに、３行目において、開始日時「２０１１／１１／１４  １４：００」から終了日時「２０１１／１１／１４  １５：００」までの１時間の間、場所「プレイス３」で、運動量「３．３」の行動「散歩」が、地面感覚レスポンス刺激が付与された状態で行われたことが記憶されている。
【００９５】
そして、４行目においては、その日におけるトータルな情報として計算された、運動量「７．８」と休息量「１」が記憶されると共に、心理・生理活動量「２」が記憶されている。
【００９６】
なお、行動履歴ＤＢ１０ｄ４における運動量及び休息量は、図３に示された行動ＤＢ１０ｄ１におけるデータ（「運動量」、「休息量」）をもとに、運動時間あるいは休息時間を考慮して得られ、運動と休息の好ましいバランスが得られているかどうかの判断材料となる。
【００９７】
また、心理・生理活動量は、対象の高齢者が行動中において処理部１０ｃにおいて算出されるものである。すなわち、対象の高齢者が行動中の場合において、カメラ（映像）情報入力部１０ａ４及びマイク（音声）情報入力部１０ａ５から入力される映像や音声等を行動監視部１０ｃ４が解析し、解析結果に基づいて評価判断部１０ｃ５が心理・生理活動量を換算して、行動履歴ＤＢ１０ｄ４に記憶する。なお、心理・生理活動は前後の行動とも関連する場合があるので、心理・生理活動量は行動毎のデータとならない場合もある。
【００９８】
また、施設スケジュールＤＢ１０ｄ５は、図８に示すように、高齢者向け施設の担当者が入力する施設の各空間（エリア）で実施する運動や休息の種類を記憶する。なお、高齢者向け施設の担当者は、このような入力を日毎に行っても良いし、週毎に行っても良い。再度入力されるまでは、以前の入力が継続される。
【００９９】
施設スケジュールＤＢ１０ｄ５において、「プレイス１，２，…」は施設の各空間（エリア）を示し、タイムテーブルでは、各空間（エリア）で実施される運動や休息の種類が、各時刻別に示されている。このように、施設スケジュールＤＢ１０ｄ５に記憶される情報は、各時刻に対して、施設の各場所（エリア）でどのような行動が予定されているかを予め設定されるもので、時刻と、行動ＤＢ１０ｄ１における行動Ｎｏとで入力される。
【０１００】
なお、空間（エリア）によっては複数の運動を同時刻に行うことも可能である。例えば、図８の例では、「プレイス１」では１０：００〜１２：００まで「ゲーム２」が実施され、１３：００〜１４：００は「体操２」、１４：００〜１５：００は「ゲーム２」及び「体操１」、１５：００〜１７：００は「ダンス２」が実施される。
【０１０１】
また、行動テーブルＤＢ１０ｄ６は、図９に示すように、健康管理の対象となる利用者（高齢者）が選択した、その日に行動したい内容が入力される。なお、情報の入力は、本人や介護者が入力画面等で行う。
【０１０２】
当日の施設内の部屋や庭等の空間（エリア）で実施可能な行動メニューとして、行動ＤＢ１０ｄ１の情報と施設スケジュールＤＢ１０ｄ５の情報とが画面等に表示され、この表示内容を参照して、本人や介護者が、利用したいエリアと行動内容を選択して入力すると、行動テーブルＤＢ１０ｄ６に記憶される。なお、行動の選択は同一場所で異なる行動が可能な状況もあるので、各時刻における場所か行動を選択することにより行動メニューの入力が行われる。
【０１０３】
なお、行動テーブルＤＢ１０ｄ６への情報の入力画面での入力が終了すると、図９に示す行動テーブルＤＢ１０ｄ６の情報に基づいて、処理部１０ｃにより、そのスケジュールを実施したときの運動量、休息量が算出され、画面出力部１０ｂ１により画面等に表示され、高齢者及び介護者による行動の参考として利用される。
【０１０４】
また、個々に場所や行動を指定して入力しなくても、コンピュータが、自動的に、本人の履歴から望ましい運動と休息を推定して、複数作成したスケジュールから適切なスケジュールを選択することも可能である。
【０１０５】
図１０においては、図３に示す出力部１０ｂにおける画面情報出力部１０ｂ１で出力される一日の活動メニュー情報１００１の一例が示されている。
【０１０６】
同図に示すように、本実施の形態に係る１日の活動メニュー情報は、行動区分、行動内容、五感刺激の提供の各項目を含んで構成される。行動区分としては、事前準備、移動、運動、判断、移動、休息、休息、移動、運動、判断、運動、判断、移動、休息、等の情報が記憶される。
【０１０７】
また、行動内容としては、それぞれの行動区分の内容に対応した行動が、例えば、入館の登録、今日の行動（運動と休息）メニューの確認、等の情報が記憶され、五感刺激の提供としては、例えば移動中に提供された刺激（高揚の五感刺激）、運動中に提供された刺激（ダンスに対する五感刺激）、等の情報が記憶される。
【０１０８】
以上説明したように、本実施の形態に係る健康管理システム１０は、図１に示した高齢者向け施設における運動エリアでの運動動作と休息エリアでの休息動作とにより高齢者の運動と休息がバランス良くとれるように予め運動動作と休息動作の行動スケジュールが組まれた行動スケジュール情報を出力して、高齢者または介護者に示すことで、高齢者の意欲を促進する最適な行動を実行させる。
【０１０９】
なお、本実施の形態に係る健康管理システム１０は、複数のスケジュール情報を仮出力し、高齢者が仮出力された複数のスケジュール情報から１つ選択したスケジュール情報を最終スケジュールとして、高齢者に提供することができる。このように、高齢者自身に最終的な行動スケジュールを決めさせることにより、高齢者が当該行動スケジュールに沿って行動する意欲をさらに増進させることができる。
【０１１０】
また、本実施の形態に係る健康管理システム１０は、図４に示した行動ＤＢ１０ｄ１に記憶された情報、図５に示した五感刺激ＤＢ１０ｄ２に記憶された情報、及び図８に示した施設スケジュールＤＢ１０ｄ５に記憶した情報で示されるように、複数の運動エリア毎に、各運動エリアで実行される運動動作と当該運動動作に予め対応付けられた運動刺激付与装置との組み合わせが所定時刻単位で設定された情報と、複数の休息エリア毎に、各休息エリアで実行される休息動作と当該休息動作に予め対応付けられた休息刺激付与装置との組み合わせが所定時刻単位で設定された情報と、を示す施設スケジュール情報を出力して高齢者に提供するようにすることができる。これにより、高齢者自身が、この施設スケジュール情報を参照して、所定時刻単位の複数の運動エリアと複数の休息エリアとの利用予定を決定できるようになり、高齢者が当該行動スケジュールに沿って行動する意欲をさらに増進させることができる。
【０１１１】
また、本実施の形態に係る健康管理システム１０では、五感刺激及びレスポンス刺激を活用して、高齢者向け施設において、高齢者が意欲的に運動及び休息できる場（エリア）を提供すると共に、運動及び休息の実施の後に身体的、生理的、及び心理的状況を把握して、運動と休息のバランスをみて、次の行動スケジュール（運動及び休息）を設定する。
【０１１２】
そして、本実施の形態に係る健康管理システム１０では、ＩＣタグや入館証等により高齢者本人を識別し、識別した高齢者本人または当該高齢者の担当介護者に、１日の行動スケジュールや活動状況等の情報を、コンピュータ画面や壁面投影等の表示手段により、または、音声、携帯端末（携帯電話含む）等により知らせる。
【０１１３】
なお、運動量及び休息量の情報の取得は、高齢者本人に、運動量及び休息量を記憶してコンピュータにデータ送信する端末（例えば、活動量計等）を持たせることで行っても良い。あるいは、運動状態及び休息量等を画像処理することにより運動量及び休息量を推定することで取得するようにしても良い。もしくは、運動時間及び休息時間に基づいて運動量及び休息量を推定して取得することでも良い。
【０１１４】
また、心理・生理の状態情報の取得は、五感刺激及びレスポンス刺激によるアクティビティの活性化を考慮して、例えば、画像もしくは音声で示される高齢者の状況をコンピュータで解析して、対象者のコミュニケーションの状態等から推定して取得することでも良い。あるいは、心拍数及び脈拍などの計測値から取得することでも良い。または、本人の意識、すなわち、本人が自分の今ある状態や周囲の状況などを正確に認識できているか否か等の状態を例えば介護士が観測し、その観測結果から心理・生理の状態情報を判断することでも良い。
【０１１５】
このようにして取得された、高齢者の各運動や休息の状態、及び心理・生理状態を表す各情報は、入力部１０ａの各機能（１０ａ１〜１０ａ６）により、健康管理システム１０に取り込まれ、処理部１０ｃの入力処理部１０ｃ６により記憶部１０ｄにおける各データベース（行動ＤＢ１０ｄ１〜行動テーブルＤＢ１０ｄ６）に記憶される。
【０１１６】
また、本実施の形態に係る健康管理システム１０では、高齢者本人を識別するＩＣタグや入館証等により、入力部１０ａの本人認識情報入力部１０ａ１及び空間入退センサ情報入力部１０ａ３で取得する情報に基づいて、移動場所確認部１０ｃ３により、高齢者本人が行動スケジュールで指定された時間に指定の場所にいるか否か等を把握する。
【０１１７】
次に、図１１及び図１２を参照して、本実施の形態に係る健康管理システム１０の作用を説明する。
【０１１８】
なお、事前準備として、図４に示すように行動ＤＢ１０ｄ１において、各行動Ｎｏに対して、行動内容、行動に対して付与する刺激、行動に対しての運動量及び休息量等を予め対応付けて記憶しておく。また、行動ＤＢ１０ｄ１における各付与刺激の詳細を表す情報を、図５に示すように、五感刺激ＤＢ１０ｄ２において定義しておく。ここでは、付与刺激として、一方的な刺激と、本人の行動に伴って引き起こさせるレスポンス刺激に区別して取り扱う。
【０１１９】
以下、図１１を参照して、本実施の形態に係る健康管理システム１０の健康管理プログラムを実行する際の作用を説明する。なお、図１１は、健康管理システム１０の情報処理装置２０におけるＣＰＵ２１により実行される健康管理プログラムの処理の流れを示すフローチャートであり、当該プログラムは、ＲＯＭ２３の所定領域に予め記憶されている。
【０１２０】
同図のステップ１１０１では、施設スケジュールＤＢ１０ｄ５に記憶させる情報の入力を行う。すなわち、高齢者向け施設の担当者により、キーボード等の入力装置２５を介して、施設の各空間（エリア）で所定の時刻において実施する運動や休息を特定する情報が入力されると、当該情報を、施設スケジュール情報として施設スケジュールＤＢ１０ｄ５に記憶する。
【０１２１】
上述したように、図８に示す例では、施設の空間（エリア）としての「プレイス１」では、１０：００から１２：００まで「ゲーム２」が実施され、１３：００から１４：００では「体操２」が実施され、１４：００から１５：００では「ゲーム２」及び「体操１」が実施され、１５：００から１７：００では「ダンス２」が実施されるとの施設スケジュール情報が記憶されている。このようにして施設の各空間（エリア）としての「プレイス１〜４」で実施される運動や休息のスケジュールが登録される。
【０１２２】
なお、施設スケジュールＤＢ１０ｄ５への施設スケジュール情報の入力は日毎に入力しても良いし、週毎または月毎等、任意に入力して良い。再度入力されるまでは、以前の入力情報（施設スケジュール情報）が継続される。
【０１２３】
ステップ１１０２では、例えば、高齢者または介護者によるキーボード等の入力装置２５を介しての操作で健康管理システム１０の起動指示が入力されると、図１における行動ＤＢ１０ｄ１、五感刺激ＤＢ１０ｄ２、施設スケジュールＤＢ１０ｄ５における各情報、及び、行動履歴ＤＢ１０ｄ４における対象となる高齢者の行動履歴情報を読み込み、表示装置２６の画面上に各情報を表示する。
【０１２４】
ここでは、当日の施設内の部屋（エリア）や庭等の空間（エリア）で実施可能な行動メニュー情報を、行動ＤＢ１０ｄ１と施設スケジュールＤＢ１０ｄ５から読み出して表示装置２６の画面に表示する。
【０１２５】
このようにして、健康管理システム１０により高齢者の健康を管理する準備が完了する。なお、健康管理システム１０の電源がオンされるたびに、このような情報の読出しと表示を行うようにしても良い。
【０１２６】
ステップ１１０３では、スケジュール及び行動等の選択に応じて、行動スケジュール情報を生成する。すなわち、ステップ１１０２の処理で画面表示された各情報を見ながら、高齢者本人または介護者が、その日に行動したい内容を選択して入力すると、選択された各エリア及び当該エリアでの行動を時刻単位で示した行動スケジュールを生成して、出力部１０ｂの画面出力部１０ｂ１を介して表示装置２６により表示する。
【０１２７】
なお、このように画面表示した当該行動スケジュールの内容を確認した後、高齢者本人または介護者は、当該行動スケジュールを、本人が所持する携帯端末に送信、もしくは、プリンタを介して紙に印刷して出力する。
【０１２８】
このようにして、上述の図９で行動テーブルとして例示する行動スケジュール情報を生成する。なお、行動の選択においては、同一場所（エリア）で異なる行動が可能な状況もあるので、各時刻における場所か行動を選択することにより行う。
【０１２９】
また、行動スケジュール情報の生成が終了すると、当該行動スケジュールに組み込まれた各行動の運動量及び休息量を、図４に例示した行動ＤＢ１０ｄ１から各々読み出し、当該行動スケジュールを実施した際のトータルの運動量及び休息量を導出して表示装置２６により表示する。高齢者本人または介護者は、このように、表示されたトータルの運動量及び休息量を参考にして、当該行動スケジュールの変更や決定を行う。
【０１３０】
なお、このように、高齢者本人または介護者が、個々に場所や行動を指定して入力するのではなく、記憶部１０ｄにおける行動履歴ＤＢ１０ｄ４の記憶内容を参照し、当該高齢者に関するそれまでの行動履歴情報に基づいて、当該高齢者に望ましい運動と休息を推定して、複数の行動スケジュールを生成して画面表示し、高齢者本人または介護者が、この画面表示された複数の行動スケジュール情報から好みのスケジュールを選択するようにしても良い。
【０１３１】
ステップ１１０４では、選択された場所への移動が行われたことを確認する。すなわち、一日のスケジュールが確定すると、スケジュールに従って行動する場所が、本人が所持している携帯端末等により画面や音声で指示され、この指示に従って、選択された場所に高齢者が移動したか否かを確認する。この確認は、本人の識別手段であるＩＣタグ等を場所に設置されたセンサで検知することにより確認する。
【０１３２】
なお、スケジュールとは異なる場所にいる場合は本人に正規の場所に行くよう指示する。
【０１３３】
ステップ１１０５−１、１１０５−２、１１０５−３、・・・では、図１２に示すサブルーチンプログラムで示すように、選択された場所での処理を実行する。
【０１３４】
例えば、図１２のステップ１２０１では、選択した場所に来た本人に、当該場所で行われている運動や休息の具体的内容を提示する。例えば、リハビリルームに来た本人に、「プレイス１」では現在の時間は「体操１」が行われていることを提示する。提示は本人または介護者に、保持されている携帯端末により画面または音声で行われる。
【０１３５】
ステップ１２０２では、行動の実施状況に対応した処理を行なう。すなわち、行動内容の指示に従った運動あるいは休息を実施している最中に、運動刺激付与装置３０１あるいは休息刺激付与装置３０２を制御して、運動中あるいは休息中の本人に対して、五感刺激及びレスポンス刺激を含む感覚刺激としての運動刺激あるいは休息刺激を付与する。
【０１３６】
また、疲労度測定装置としての外部装置３０ｎにより、本人が、行動内容の指示に従った運動あるいは休息を実施している最中に、本人の運動量及び休息量（疲労度）を測定する。
【０１３７】
この測定では、本人が運動量あるいは休息量を記録するようにしても良いし、本人に、データ送信する端末（例えば、活動量計等）を持たせるようにしても良い。あるいは、疲労度測定装置としての外部装置３０ｎにおいて、運動状態及び休息状態を画像処理することにより運動量及び休息量を推定するようにしても良い。または、運動時間及び休息時間に基づいて運動量及び休息量を推定するようにしても良い。また、それぞれを併用しても良い。
【０１３８】
ステップ１２０３では、休息が必要かどうかの判断を行う。運動量の測定値、すなわち疲労度が予め定められた休息をするべき値（第１の閾値）に達したとき、あるいは本人や介護者が、休息が必要と判断したときは、ステップ１２０４，１２０５において、休息をするよう指示する運動停止指示情報を提示し、休息をとらせる。
【０１３９】
なお、本人あるいは介護者による判断で休息するときは画像処理で対象者が集団からぬけたことによる判断、あるいは音声認識等による判断により、休息したことを健康管理システム１０で認識する。
【０１４０】
また、ここでの休息は、予め定められた所定時間行なうようにしても良いし、運動量の測定値（疲労度）が予め定められた、運動を再開しても良い値（第１の閾値よりも低い第２の閾値）に達するまで行うようにしても良い。また、休息は、運動を実施していた場所（部屋）で行っても良いし、休息のための部屋に移動して行っても良い。
【０１４１】
第１の閾値と第２の閾値に基づいて運動と休息を本人にとらせるようにする場合、運動量の測定値（疲労度）が第１の閾値に達した時点から第２の閾値に達するまでが休息をとる時間帯とする。すなわち、運動量の測定値（疲労度）が第１の閾値より大きい状態では運動を禁止し、運動量の測定値（疲労度）が第２の閾値より小さい状態であれば運動を行って良いとする。
【０１４２】
ステップ１２０６では、休息状態が所定時間経過した後、あるいは、運動量の測定値（疲労度）が第２の閾値に達した後、全ての運動が完了したか、または、まだ運動の途中であるかを判断する。
【０１４３】
運動スケジュールが途中段階でまだ終了していない場合は、ステップ１２０７において、運動を再開するよう指示する運動実施指示情報を、本人や介護者が保持する携帯端末等を介して通知し、その後、上記ステップ１２０２の処理に戻る。
【０１４４】
一方、ステップ１２０６において否定判定となった場合は、ステップ１２０８に移行し、対象となる場所（部屋）での行動が終了しているか否かの判断を行う。なお、対象となる部屋での行動が終了しているかどうかは、時刻と運動量から判断する。
【０１４５】
終了している場合は、ステップ１２０９，１２１０において、終了している旨を、本人や介護者に携帯端末等を介して通知し、終了した当該場所での運動及び休息のデータを行動履歴ＤＢ１０ｄ４に記録して、対象となる場所での行動を終了させる。なお、運動中または休息中の心理・生理状態も健康管理システム１０で計測及び評価して心理・生理ＤＢ１０ｄ３に記録する。
【０１４６】
このようにして図１２に示すサブルーチンプログラムが終了すると、図１１に示すメインルーチンプログラム（健康管理プログラム）におけるステップ１１０６の処理に移行する。
【０１４７】
ステップ１１０６では、予定されたスケジュールが全て終了したか否かを判定し、終了していなければ、ステップ１１０４の処理に戻り、一日の行動スケジュールに従って、本人及び介護者を次の選択された場所へ移動させるよう、次の行動の場所を携帯端末等に表示する。
【０１４８】
予定されたスケジュールが全て終了していれば、ステップ１１０７において、一日のスケジュールの終了として判断し、本人や介護者に携帯端末で表示する等して知らせる。
【０１４９】
なお、一日の行動データは、健康管理システム１０により行動履歴ＤＢ１０ｄ４に追加される。また、健康管理システム１０は、本人や介護者に一日の運動量、休息量、心理・生理活動量の結果を表示し、次回の参考とさせることも出来る。
【０１５０】
以上説明したように、本実施の形態の健康管理システム１０では、運動及び休息のいずれか一方が行われるエリアを有する高齢者向け施設の利用者ごとに、当該利用者が行う運動及び休息が時系列で定められた行動スケジュール情報を予め記憶しておき、行動スケジュール情報を読み出して当該利用者に通知し、運動刺激付与装置３０１により、運動エリアで運動する利用者に、当該運動の遂行に対する当該利用者の意欲を向上させる感覚刺激である運動刺激を付与し、休息刺激付与装置３０２により、休息エリアで休息する利用者に、当該休息による当該利用者の休息状態を向上させる感覚刺激である休息刺激を付与する。
【０１５１】
これにより、運動及び休息に際して、感覚器を介して脳にポシティブな刺激を与える感覚刺激を有効利用することができ、高齢者向け施設の利用者ごとに、運動及び休息の順序が適切に設定された行動スケジュールに従って、当該利用者が運動及び休息を意欲的に行うことができるように誘導することが可能となり、高齢者向け施設の利用者の健康維持及び健康促進を効果的に実現することができる。
【０１５２】
また、本実施の形態の健康管理システム１０では、運動している利用者の疲労度を測定し、測定した疲労度が、当該利用者に対して予め定められた閾値（第１の閾値）に達した場合、当該利用者が行っている運動を停止させ、休息をとるよう指示する情報を通知し、通知した情報に従って休息している利用者の疲労度が、当該利用者に対して予め定められた閾値（第２の閾値）に達した場合、当該利用者に運動を行うよう指示する情報を通知する。
【０１５３】
これにより、測定した利用者の疲労度に応じて運動と休息を促すことができ、当該利用者が運動及び休息を意欲的に行うことができるように誘導することが可能となり、高齢者向け施設の利用者の健康維持及び健康促進をより効果的に実現することができる。
【０１５４】
また、本実施の形態の健康管理システム１０では、実際の利用者の運動及び休息の変更に基づいて、行動スケジュール情報を変更する。これにより、行動スケジュール情報を、実際の利用者の運動及び休息に適したものとすることができ、当該行動スケジュールに従って、当該利用者が運動及び休息を意欲的に行うことができるように誘導することが可能となり、高齢者向け施設の利用者の健康維持及び健康促進をさらに効果的に実現することができる。
【０１５５】
また、本実施の形態の健康管理システム１０では、感覚刺激として、五感刺激とレスポンス刺激を含む。このように、感覚刺激としてレスポンス刺激を含ませることにより、行動スケジュールに従って、当該利用者が運動及び休息を意欲的に行うことができるように誘導することが可能となり、高齢者向け施設の利用者の健康維持及び健康促進をより効果的に実現することができる。
【０１５６】
以上のように、本実施の形態の健康管理システム１０では、運動と休息のバランスに配慮することで、高齢者の、運動しすぎ、休息しすぎによる偏った行動を防止することができる。
【０１５７】
また、運動や休息に五感刺激やレスポンス刺激を効果的に用いることにより、より効果的に運動や休息を行うことができる。
【０１５８】
特に、高齢者に適した運動と休息を運動強度や運動量をもとに実施できるので、高齢者の健康維持増進が図れる。
【０１５９】
また、本人の行動を履歴として残し、また、履歴表示もできるので、本人や介護者の健康判断が容易となり、モチベーション向上につながる。
【０１６０】
そして、本実施の形態の健康管理システム１０を装備した施設空間を提供することにより、高齢者にとって魅力的な施設とすることができる。
【０１６１】
なお、本発明は、上述した例に限定されるものではなく、この発明の要旨を逸脱しない範囲内で様々な変形や応用が可能である。
【０１６２】
例えば、本実施の形態においては、健康管理システム１０を高齢者向け施設に設けた例を示しているが、高齢者向けの住宅においても、当該健康管理システム１０を備えることで、高齢者向けの住宅の高齢者にも同様な効果を提供することができる。
【０１６３】
また、本実施の形態の健康管理システム１０では、図２に示したコンピュータ構成の情報処理装置２０において、本発明に係る各機能を実現するためのプログラムをコンピュータ読み取り可能な記録媒体に記録して、この記録媒体に記録されたプログラムをコンピュータシステムに読み込ませ、実行することにより、各構成による処理が実行されても良いし、図示されていない通信機能を用いて、当該プログラムを読み込ませることでも良い。
【０１６４】
なお、コンピュータ読み取り可能な記録媒体とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６５】
また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【０１６６】
また、上記プログラムは、前述した機能の一部を実現するためのものであっても良い。さらに、前述した機能を、コンピュータシステムにすでに記録されているプログラムとの組み合わせで実現できるもの、いわゆる差分ファイル（差分プログラム）であっても良い。
【０１６７】
また、本実施の形態に係る健康管理システム１０の図１に示した各処理部を、プログラムにより各機能の実行が可能なコンピュータで構成するものとしているが、論理素子回路からなるハードウェア構成とすることでも良い。
【０１６８】
また、図２に示す健康管理システム１０における情報処理装置２０のコンピュータ構成に関しても適宜にその構成内容を変更しても良い。
【０１６９】
このように、本発明を実施する形態例を、図面を参照して詳述してきたが、具体的な構成はこの実施の形態例に限られるものではなく、この発明の要旨を逸脱しない範囲の設計等も含まれる。
【符号の説明】
【０１７０】
１０  健康管理システム
１０ａ  入力部
１０ａ１  本人認識情報入力部
１０ａ２  活動量計情報入力部
１０ａ３  空間入退センサ情報入力部
１０ａ４  カメラ（映像）情報入力部
１０ａ５  マイク（音声）情報入力部
１０ａ６  キーボード等情報入力部
１０ａ７  刺激付与装置制御情報入力部
１０ｂ  出力部
１０ｂ１  画面情報出力部
１０ｂ２  音声情報出力部
１０ｂ３  携帯端末情報出力部
１０ｂ４  刺激付与装置制御情報出力部
１０ｃ  処理部
１０ｃ１  本人特定部
１０ｃ２  スケジュール確認部
１０ｃ３  移動場所確認部
１０ｃ４  行動監視部
１０ｃ５  評価判断部
１０ｃ６  入力制御部
１０ｃ７  出力制御部
１０ｄ  記憶部
１０ｄ１  行動データベース
１０ｄ２  五感刺激データベース
１０ｄ３  心理・生理データベース
１０ｄ４  行動履歴データベース
１０ｄ５  施設利用スケジュールデータベース
１０ｄ６  行動テーブルデータベース
２０  情報処理装置
２１  ＣＰＵ
２２  ＲＡＭ
２３  ＲＯＭ
２４  ハードディスク
２５  入力装置
２６  表示装置
２７  通信装置
２８  入出力インタフェース部
２９  システムバス
３０１  運動刺激付与装置
３０２  休息刺激付与装置
３０ｎ  外部装置
１００１  一日の活動メニュー情報
【図１】
2014018570.tif 000003
【図２】
2014018570.tif 000004
【図３】
2014018570.tif 000005
【図４】
2014018570.tif 000006
【図５】
2014018570.tif 000007
【図６】
2014018570.tif 000008
【図７】
2014018570.tif 000009
【図８】
2014018570.tif 000010
【図９】
2014018570.tif 000011
【図１０】
2014018570.tif 000012
【図１１】
2014018570.tif 000013
【図１２】
2014018570.tif 000014